(57)【要約】【課題】  ３次元ＩＰ変換を行うテレビ受像機であって、例えばビデオ再生映像などで水平・垂直同期が乱れた映像信号が入力された場合であっても、同期の乱れによる画質の劣化を生じることのないプログレッシブ信号を生成するテレビ受像機を提供すること。  【解決手段】  映像信号の各フレームのインタレース信号をプログレッシブ信号に変換するＩＰ変換手段と、各フレームの水平・垂直同期信号について一定周期内のパルス数を計測するパルス数計測手段と、計測された前記パルス数が所定の範囲内にあるか否かを判定するパルス数判定手段とを有し、計測された前記パルス数が前記所定の範囲外にあると判定されたとき、当該フレームの１フレーム直後のフレームのインタレース信号について、プログレッシブ信号への３次元ＩＰ変換を禁止して、２次元ＩＰ変換でプログレッシブ信号に変換することによりフレームを表示するようにしたテレビ受像機を提供する。【選択図】  図１
2008205769.tif 000002
【特許請求の範囲】
【請求項１】
映像信号として入力される各フレームのインタレース信号をプログレッシブ信号に変換するＩＰ変換手段と、
各フレームの水平・垂直同期信号について一定周期内のパルス数を計測するパルス数計測手段と、
前記パルス数計測手段によって計測されたパルス数が所定の範囲内にあるか否かを判定するパルス数判定手段と、を有し、
前記パルス数計測手段によって計測されたフレームの水平・垂直同期信号のパルス数が前記所定の範囲外にあると前記パルス数判定手段によって判定されたとき、当該フレームの１フレーム直後のフレームのインタレース信号について、前記ＩＰ変換手段によるプログレッシブ信号への３次元ＩＰ変換を禁止して、２次元ＩＰ変換でプログレッシブ信号に変換することによりフレームを表示するようにしたテレビ受像機。
【発明の詳細な説明】
【技術分野】
【０００１】
本発明は、３次元ＩＰ変換処理を行うテレビ受像機に関し、特に、水平・垂直同期信号に乱れを有する映像信号が入力された場合に、インタレース信号をプログレッシブ信号に変換する際に、３次元ＩＰ変換処理を禁止して2次元ＩＰ変換処理を行わせるようにしたテレビ受像機に関する。
【背景技術】
【０００２】
ＮＴＳＣ信号やハイビジョン信号等の標準的な映像信号はインタレース信号である。周知のとおり、インタレース信号は走査線が上から順にビームでなぞられて構成されており、１回目の走査を偶数列、２回目の走査を奇数列と、交互に走査を行うことによって画面を描写するので、インタレースで間引かれている部分の走査線が存在することから良質な画像が得られないという難点がある。これを解決するために、プログレッシブ変換により、インタレースで間引かれている部分の走査線を周囲の走査線で補間してプログレッシブ信号に変換する技術が一般的である。
【０００３】
上記のプログレッシブ変換を行う方法として、２次元ＩＰ変換と３次元ＩＰ変換の２つの方法がある。２次元ＩＰ変換は、静止画・動画のいずれにおいても、インタレースで間引かれている隙間の上下に存在する同一フレーム内の画素の平均値を取ることによって、当該間引かれている隙間を補間している。一方、３次元ＩＰ変換においては、静止画の場合は、時間的に１フレーム前の画素信号により当該間引かれている隙間を補間し、動画の場合は、２次元ＩＰ変換の場合と同様、インタレースで間引かれている隙間の上下に存在する同一フレーム内の画素の平均値を取ることによって、当該間引かれている隙間を補間している。
【０００４】
ところが、３−２プルダウンや２−２プルダウンによってインタレースに変換された部分に対して編集処理を施すと、当該プルダウンのシーケンスが崩れてしまうことがある。こうした編集処理などによりシーケンスが崩れたインタレース信号を３次元ＩＰ変換によりプログレッシブ信号に変換すると、時間軸の異なるフレームに由来する画素信号で間引かれている隙間を補間するという不都合が生じ、画質が大きく損なわれることになる。この不都合を解決するために、特許文献１では、フィールド内挿補間信号と動き適応型補間信号とを生成し、画素単位でフィールド内挿補間信号中の２重画像エラーを検出することにより、２重画像エラーと判断された画素については、その画素を動き適応型補間信号中の同一位置の画素で置き換え、２重画像エラーと判断された画素が所定の閾値に達した場合には、以降の画素又はラインを全て動き適応型補間信号とすることによって、３−２プルダウンや２−２プルダウンによってインタレースに変換され、且つ編集処理が施された変換信号を含むインタレース信号であっても、３次元ＩＰ変換によって画質劣化のないプログレッシブ信号に変換することを可能にした画像処理装置を提供している。
【０００５】
【特許文献１】特開２００６−２５３９５６号公報
【０００６】
しかしながら、例えばビデオ再生映像などの入力信号側に水平・垂直同期の乱れがある場合には、特許文献１の画像処理装置によっても、インタレース信号からプログレッシブ信号への変換がうまくいかず、画質の劣化をもたらすプログレッシブ信号が３次元ＩＰ変換によって生成されてしまうという問題が未解決のまま放置されている。
【発明の開示】
【発明が解決しようとする課題】
【０００７】
そこで、本発明は、３次元ＩＰ変換を行うテレビ受像機であって、例えばビデオ再生映像などで水平・垂直同期が乱れた映像信号が入力された場合でも、同期の乱れによる画質の劣化を生じることのないプログレッシブ信号を生成するテレビ受像機を提供することを目的とする。
【課題を解決するための手段】
【０００８】
本発明のテレビ受像機は、映像信号として入力される各フレームのインタレース信号をプログレッシブ信号に変換するＩＰ変換手段と、各フレームの水平・垂直同期信号について一定周期内のパルス数を計測するパルス数計測手段と、前記パルス数計測手段によって計測されたパルス数が所定の範囲内にあるか否かを判定するパルス数判定手段とを有し、前記パルス数計測手段によって計測されたフレームの水平・垂直同期信号のパルス数が前記所定の範囲外にあると前記パルス数判定手段によって判定されたとき、当該フレームの１フレーム直後のフレームのインタレース信号について、前記ＩＰ変換手段によるプログレッシブ信号への３次元ＩＰ変換を禁止して、２次元ＩＰ変換でプログレッシブ信号に変換することによりフレームを表示するようにしたことを特徴とする。
【発明の効果】
【０００９】
本発明により、３次元ＩＰ変換を行うテレビ受像機であって、例えばビデオ再生映像などで水平・垂直同期が乱れた映像信号が入力された場合であっても、同期の乱れによる画質の劣化を生じることのないプログレッシブ信号を生成するテレビ受像機を提供することができる。
【発明を実施するための最良の形態】
【００１０】
本発明による具体的な実施形態を、以下、図１乃至２を参照して説明する。図１は本発明のテレビ受像機の構成を示すブロック図であり、図２は、図１の構成による本発明のテレビ受像機の動作を説明するためのフローチャートである。
【００１１】
先ず、図１のブロック図を参照して、本発明によるテレビ受像機１００の構成を説明する。本発明によるテレビ受像機１００は、チューナ１、外部入力端子２、スケーラＩＣ３、および表示部４から構成されている。なお前記スケーラＩＣ３は、映像信号入力選択処理部５、画質計測調整部６、水平・垂直同期カウント部７、判定部８、ＣＰＵ９、ＩＰ変換部１０、映像信号処理部１１、および出力部１２から構成されている。
【００１２】
チューナ１もしくは外部入力端子２から入力された映像信号は、スケーラＩＣ３内部の映像信号入力選択処理部５に送られ、さらに当該映像信号の映像フォーマット（１０８０ｉ、７２０ｐなど）が画質計測調整部６で計測・判断される。次に、水平・垂直同期カウント部７において、当該映像信号の各フレームの水平・垂直同期信号について一定周期内のパルス数が計測され、次に判定部８において、前記水平・垂直同期カウント部７によって計測されたパルス数が所定の範囲内にあるか否かが判定される。判定部８での判定結果がＣＰＵ９に送られると、ＣＰＵ９はこの判定結果に基づいてＩＰ変換部１０の動作を制御し、当該フレームの映像信号が映像信号処理部１１、出力部１２を経て、最終的に表示部４で画像として表示される。
【００１３】
図１のブロック図の上記説明において、ＩＰ変換部１０はＩＰ変換手段、水平・垂直同期カウント部７はパルス数計測手段、判定部８はパルス数判定手段に、それぞれ相当する。
【００１４】
以上のように構成されたテレビ受像機１００の動作を、以下、図２のフローチャートに従って説明する。先ず、チューナ１もしくは外部入力端子２から映像信号が入力される（ステップＳ１）。入力された映像信号は、画質計測調整部６において、インタレース信号であることが検出される（ステップＳ２）。次に、水平・垂直同期カウント部７において、当該映像信号の各フレームの水平・垂直同期信号を検出し（ステップＳ３）、さらに当該水平・垂直同期信号の一定周期内のパルス数を計測するカウント処理が行われる（ステップＳ４）。次に、判定部８において、ステップＳ４で計測された当該パルス数が、後述のごとく設定値として定めた所定範囲内にあるか否かが判定される（ステップＳ５）。
【００１５】
本実施例においては、各フレームの映像信号について、２０ｍｓｅｃ当たりの垂直同期信号のパルス数が１７３から１７７までの範囲を設定値として定め、これが正常範囲として先に設定されており、２０ｍｓｅｃ当たりの垂直同期信号のパルス数をＰとした場合に、Ｐが上記の正常範囲内にあれば正常な映像信号と判定し、Ｐが上記の正常範囲外にあるときは異常な映像信号と判定するように、デフォルト設定がなされているものとして、以下、説明を進める。異常な映像信号が発生する原因としては、例えばコピーされたビデオテープやＤＶＤから垂直同期信号の乱れた映像信号を入力する場合などが考えられる。
【００１６】
ＣＰＵ９には次のプロセスがプログラムとして予め組み込まれている。ある時点（Ｔ）に対応するフレーム（Ｔ）のインタレース信号の２０ｍｓｅｃ当たり垂直同期信号のパルス数Ｐ（Ｔ）が前記正常範囲内にあるときは、その１フレーム直後のフレーム（Ｔ＋１）のインタレース信号の隙間を、当該フレーム（Ｔ）のインタレース信号の画素を用いて補間（３次元ＩＰ変換）することにより、プログレッシブ信号への変換を行う。また逆に、ある時点（Ｔ）に対応するフレーム（Ｔ）のインタレース信号の２０ｍｓｅｃ当たり垂直同期信号のパルス数Ｐ（Ｔ）が前記正常範囲外にあるときは、その１フレーム直後のフレーム（Ｔ＋１）のインタレース信号の隙間を補間する場合に、前記の３次元ＩＰ変換を禁止して、当該フレーム（Ｔ＋１）のインタレース信号の隙間の上下に位置する画素の平均値を使用して当該隙間を補間（２次元ＩＰ変換）することにより、プログレッシブ信号への変換を行う。
【００１７】
図２のフローチャートのステップＳ４で、ある時点（Ｔ）に対応するフレーム（Ｔ）のインタレース信号の２０ｍｓｅｃ当たり垂直同期信号のパルス数Ｐ（Ｔ）が例えば１７５であったとする。このパルス数Ｐ（Ｔ）の１７５は前記正常範囲（１７３〜１７７）の範囲内にある（ステップＳ５のＹ）ので、その１フレーム直後のフレーム（Ｔ＋１）のインタレース信号の隙間を３次元ＩＰ変換で補間するように、ＣＰＵ９がＩＰ変換部１０を制御する３次元処理が行われる（ステップＳ６）。
【００１８】
一方、同じステップＳ４で、ある時点（Ｔ）に対応するフレーム（Ｔ）のインタレース信号の２０ｍｓｅｃ当たり垂直同期信号のパルス数Ｐ（Ｔ）が例えば１６０であったとする。このパルス数Ｐ（Ｔ）の１６０は前記正常範囲（１７３〜１７７）の範囲外にある（ステップＳ５のＮ）ので、その１フレーム直後のフレーム（Ｔ＋１）のインタレース信号の隙間を２次元ＩＰ変換で補間するように、ＣＰＵ９がＩＰ変換部１０を制御する２次元処理が行われる（ステップＳ７）。
【００１９】
上記のステップＳ６またはステップＳ７で説明したようにＣＰＵ９がＩＰ変換部１０を制御することにより、プログレッシブ信号がＩＰ変換部１０から映像信号処理部１１、出力部１２を経て、最終的に表示部４で画像として表示される。以上により、本発明による３次元ＩＰ変換を行うテレビ受像機１００は、場合に応じて３次元ＩＰ変換と２次元ＩＰ変換を使い分けることによって、例えばビデオ再生映像などで垂直同期が乱れた映像信号が入力された場合であっても、同期の乱れによる画質の劣化を生じないプログレッシブ信号を生成することができ、画像に乱れのない映像を表示することができる。
【００２０】
以上の実施例では、垂直同期信号のパルス数が正常範囲内にあるか否かによって、入力された映像信号が正常であるか否かを判定するようにして説明したが、水平同期信号のパルス数が正常範囲内にあるか否かによって、入力された映像信号が正常であるか否かを判定することも可能なことを付言しておく。
【００２１】
以上、本発明の実施例について詳述したが、本発明は上述の実施例に限定されるものではなく、本発明の要旨の範囲内で種々の変形実施が可能である。
【図面の簡単な説明】
【００２２】
【図１】本発明のテレビ受像機の構成を示すブロック図である。
【図２】図１の構成による本発明のテレビ受像機の動作を説明するためのフローチャートである。
【符号の説明】
【００２３】
３    スケーラＩＣ
５    映像信号入力選択処理部
６    画質計測調整部
７    水平・垂直同期カウント部
８    判定部
９    ＣＰＵ
１０  ＩＰ変換部
１１  映像信号処理部
１２  出力部
【図１】
2008205769.tif 000003
【図２】
2008205769.tif 000004